(57)【要約】  コネクタ用の電磁干渉（ＥＭＩ）遮蔽ケージと併用するガスケットは、ＥＭＩ遮蔽ケージ上に組み込まれるガスケットを嵌合する壁の近傍で、ＥＭＩ遮蔽ケージの第１の端部を受け入れるように構成される開口部を有する導電性本体を含む。導電性本体は、ガスケットを嵌合する壁と反対に向くように作られる第１の面と、ガスケットを嵌合する壁に向くように作られる第２の面と、内周縁及び外周縁と、を有する。複数の係合タブが外周縁に沿って配置され、第１の面から離れるように延在する。複数のスプリングタブが内周縁に沿って配置され、第２の面から離れるように延在する。係合タブが任意選択の補合する面板に向き、スプリングタブがＥＭＩ遮蔽ケージのガスケットを嵌合する壁に向いた状態で、ＥＭＩ遮蔽ケージの第１の端部が導電性本体の開口部及び面板の開口部に差し込まれるとき、係合タブ及びスプリングタブは、ガスケットを嵌合する壁と任意選択の補合する面板との間で事前定義の分離距離Ｄ１を協調的に保持する。【選択図】図１
2013529839.tif 000002
【特許請求の範囲】
【請求項１】
コネクタ用の電磁干渉（ＥＭＩ）遮蔽ケージ
と併用するガスケットであり、
前記ＥＭＩ遮蔽ケージ上に組み込まれるガスケットを嵌合する壁の近傍で、前記ＥＭＩ遮蔽ケージの第１の端部を受け入れるように構成される開口部を有する導電性本体であって、前記ガスケットを嵌合する壁と反対に向くように作られる第１の面と、前記ガスケットを嵌合する壁に向くように作られる第２の面と、内周縁及び外周縁と、を含む、導電性本体と、
前記外周縁に沿って配置され、前記第１の面から離れるように延在する複数の係合タブと、
前記内周縁に沿って配置され、前記第２の面から離れるように延在する複数のスプリングタブと、を含む、ガスケットであって、前記係合タブが任意選択の補合する面板に向き、前記スプリングタブが前記ＥＭＩ遮蔽ケージの前記ガスケットを嵌合する壁に向いた状態で、前記ＥＭＩ遮蔽ケージの前記第１の端部が前記導電性本体の前記開口部及び前記面板の開口部に差し込まれるとき、前記係合タブ及び前記スプリングタブが、前記ガスケットを嵌合する壁と前記任意選択の補合する面板との間で事前定義の分離距離Ｄ１を協調的に保持する、ガスケット。
【請求項２】
前記事前定義の分離距離Ｄ１が、約１．１３ミリメートル〜約２．１３ミリメートルである、請求項１に記載のガスケット。
【請求項３】
前記スプリングタブが、前記スプリングタブを前記ガスケットに連結するように構成される第１の区分と、使用中に前記ガスケットを嵌合する壁と接触するように構成される第２の区分と、前記第１の区分を前記第２の区分に接続するキンクを更に含む、請求項１に記載のガスケット。
【請求項４】
前記スプリングタブの前記第１の区分は第１の軸線に沿って位置合わせされ、前記スプリングタブの前記第２の区分は第２の軸線に沿って位置合わせされる、請求項３に記載のガスケット。
【請求項５】
電磁干渉（ＥＭＩ）遮蔽ケージ組立品であり、
上パネル、後パネル、２つの側パネル及びＥＭＩ遮蔽ケージの第１の端部に構成される少なくとも１つのスロットを有するハウジングを含み、使用中に少なくとも１つのコネクタにＥＭＩを遮蔽するエンクロージャを提供するＥＭＩ遮蔽ケージと、
前記ＥＭＩ遮蔽ケージと併用するガスケットと、を含み、
前記ガスケットは、前記ＥＭＩ遮蔽ケージ上に組み込まれるガスケットを嵌合する壁の近傍で、前記ＥＭＩ遮蔽ケージの第１の端部を受け入れるように構成される開口部を有する導電性本体であって、前記ガスケットを嵌合する壁と反対に向くように作られる第１の面と、前記ガスケットを嵌合する壁に向くように作られる第２の面と、内周縁及び外周縁と、を含む、導電性本体と、
前記外周縁に沿って配置され、前記第１の面から離れるように延在する複数の係合タブと、
前記内周縁に沿って配置され、前記第２の面から離れるように延在する複数のスプリングタブと、を含み、前記係合タブが任意選択の補合する面板に向き、前記スプリングタブが前記ＥＭＩ遮蔽ケージの前記ガスケットを嵌合する壁に向いた状態で、前記ＥＭＩ遮蔽ケージの前記第１の端部が前記導電性本体の前記開口部及び前記面板の開口部に差し込まれるとき、前記係合タブ及び前記スプリングタブが、前記ガスケットを嵌合する壁と前記任意選択の補合する面板との間で事前定義の分離距離Ｄ１を協調的に保持する、電磁干渉（ＥＭＩ）遮蔽ケージ組立品。
【請求項６】
前記事前定義の分離距離Ｄ１が、約１．１３ミリメートル〜約２．１３ミリメートルである、請求項５に記載のＥＭＩ遮蔽ケージ組立品。
【請求項７】
前記スプリングタブが、前記スプリングタブを前記ガスケットに連結するように構成される第１の区分と、使用中に前記ガスケットを嵌合する壁と接触するように構成される第２の区分と、前記第１の区分を前記第２の区分に接続するキンクを更に含む、請求項５に記載のＥＭＩ遮蔽ケージ組立品。
【請求項８】
前記スプリングタブの前記第１の区分は第１の軸線に沿って位置合わせされ、前記スプリングタブの前記第２の区分は第２の軸線に沿って位置合わせされる、請求項７に記載のＥＭＩ遮蔽ケージ組立品。
【請求項９】
前記ＥＭＩ遮蔽ケージは前記ハウジングに連結される下パネルを更に含み、前記ＥＭＩ遮蔽ケージは使用中に前記下パネルをプリント回路基板上の複数の接地線に接続することにより接地される、請求項５に記載のＥＭＩ遮蔽ケージ組立品。
【請求項１０】
前記下パネルが一対の位置決め柱を更に含む、請求項９に記載のＥＭＩ遮蔽ケージ組立品。
【発明の詳細な説明】
【技術分野】
【０００１】
本発明は電磁干渉（「ＥＭＩ」）ガスケットに関し、より具体的には、電磁干渉からの保護及び遮蔽を提供する遮蔽ケージとの併用を目的とするＥＭＩガスケットに関する。
【背景技術】
【０００２】
対向する相手コネクタに差し込むことを目的とするケーブルの端部でプラグコネクタを利用することによって、ケーブルをプリント回路基板（ＰＣＢ）に接続することは慣例である。相手コネクタは、電子デバイスのハウジング内に配されるＰＣＢ上の１０に典型的には取り付けられる。ＰＣＢ上に取り付けられる他の電子モジュールがあってもよい。電子モジュールはそれぞれ、コネクタ間の信号送信を干渉し負の影響を与える可能性がある電磁干渉（「ＥＭＩ」）を放射し得る。
【０００３】
相手コネクタは、同様にＰＣＢに取り付けられ相手コネクタを電子デバイス内で取り囲む金属遮蔽ケージ（ＥＭＩ遮蔽ケージとも呼ばれる）を使用することによってＥＭＩから遮蔽され得る。ケージは面板に向けて開く開口部を有する。開口部は、相手コネクタの方につながる入り口を画定し、その中にプラグコネクタが差し込まれる。しかしながら、ケージを使用しても、主としてケージがＰＣＢと接触する領域及びケージの開口部が延在する面板の開口部の周辺の領域で、ＥＭＩが依然として存在し得る。
【０００４】
様々な形状の導電ガスケットがこの問題に対処するために開発されている。ＰＣＴ特許公開第２００４／０８８３８１号は、複数のモジュールの受け入れベイを備える遮蔽ケージ用の導電性圧縮可能なガスケットを開示する。しかしながら、導電性発泡体を使用して製造されるガスケットは、引裂き及び他の損傷を受けやすい。ＥＭＩ保護の度合いは、導電性発泡体の導電性材料の量に依存し得る。
【０００５】
消費者のために、電子工学業界内で、特にコネクタの機械的インタフェース、信号及びデータ伝送プロトコル、並びに信号及びデータ交換プロトコルの分野で規格が設立された。この互換性は、１つのベンダー製の電子モジュールを別のベンダーの同類のモジュールと置き換え可能にする。したがって、消費者は製品の選択肢が増え、より競争力があるデバイスの価格形成を伴うこの競争から恩恵を受け得る。
【０００６】
電子工学業界では、データ通信仕様を管理するＩｎｓｔｉｔｕｔｅ  ｏｆ  Ｅｌｅｃｔｒｉｃ  ａｎｄ  Ｅｌｅｃｔｒｏｎｉｃ  Ｅｎｇｉｎｅｅｒｓ（「ＩＥＥＥ」）委員会、データストレージ規格を規定するＴ１０委員会、及びコネクタ用機械的インタフェースの規格を規定するＳｍａｌｌ  Ｆｏｒｍ  Ｆａｃｔｏｒ（「ＳＦＦ」）委員会が挙げられるが、これらに限定されない多くの規格委員会がある。ＳＦＦ  ８０８８は、ＳＦＦ委員会が規定した規格の１つであり、ミニマルチレーンシールドコネクタの仕様である。
【０００７】
前述の理由から、製造業者には、電子デバイスのＥＭＩ遮蔽用に導電性発泡体ガスケットではなく導電性金属ガスケットを使用する動機がある。ＰＣＴ特許公開第２００７／０７９１１７号は、双方向の接触部材を備えるＥＭＩ囲い板を開示する。現在のところ、導電性金属ガスケットを使用すると、コネクタがＳＦＦ  ８０８８非適合になる。
【発明の概要】
【発明が解決しようとする課題】
【０００８】
良好なＥＭＩ遮蔽を有し、ＥＭＩ遮蔽ケージと併用するとき、相手コネクタがＳＦＦ  ８０８８適合を維持できるガスケットを提供することが望ましい。
【課題を解決するための手段】
【０００９】
本発明の一実施形態に従って、コネクタ用の電磁干渉（ＥＭＩ）遮蔽ケージと併用するガスケットが提供される。ガスケットは、ＥＭＩ遮蔽ケージ上に組み込まれるガスケットを嵌合する壁の近傍でＥＭＩ遮蔽ケージの第１の端部を受け入れるように構成される開口部を有する導電性本体を含む。導電性本体は、ガスケットを嵌合する壁と反対に向くように作られる第１の面、ガスケットを嵌合する壁に向くように作られる第２の面、並びに内周縁及び外周縁を含む。複数の係合タブが外周縁に沿って配置され、第１の面から離れるように延在する。複数のスプリングタブが内周縁に沿って配置され、第２の面から離れるように延在する。係合タブが任意選択の補合する面板に向き、スプリングタブがＥＭＩ遮蔽ケージのガスケットを嵌合する壁に向いた状態で、ＥＭＩ遮蔽ケージの第１の端部が導電性本体の開口部及び面板の開口部に差し込まれるとき、係合タブ及びスプリングタブは、ガスケットを嵌合する壁と任意選択の補合する面板との間で事前定義の分離距離Ｄ１を協調的に保持する。
【００１０】
本発明の別の実施形態に従って、ＥＭＩ遮蔽ケージ及びＥＭＩ遮蔽ケージと併用するガスケットを備える電磁干渉（ＥＭＩ）遮蔽ケージ組立品が提供される。ＥＭＩ遮蔽ケージは、上パネル、後パネル、２つの側パネル及びＥＭＩ遮蔽ケージの第１の端部に構成される少なくとも１つのスロットを有するハウジングを含む。ＥＭＩ遮蔽ケージは、使用中に少なくとも１つのコネクタにＥＭＩを遮蔽するエンクロージャを提供する。ガスケットは、ＥＭＩ遮蔽ケージ上に組み込まれるガスケットを嵌合する壁の近傍で、ＥＭＩ遮蔽ケージの第１の端部を受け入れるように構成される開口部を有する導電性本体を含む。導電性本体は、ガスケットを嵌合する壁と反対に向くように作られる第１の面、ガスケットを嵌合する壁に向くように作られる第２の面、並びに内周縁及び外周縁を含む。ガスケットは、外周縁に沿って配置され、第１の面から離れるように延在する複数の係合タブと、内周縁に沿って配置され、第２の面から離れるように延在する複数のスプリングタブと、を更に含む。係合タブが任意選択の補合する面板に向き、スプリングタブがＥＭＩ遮蔽ケージのガスケットを嵌合する壁に向いた状態で、ＥＭＩ遮蔽ケージの第１の端部が導電性本体の開口部及び面板の開口部に差し込まれるとき、係合タブ及びスプリングタブは、ガスケットを嵌合する壁と任意選択の補合する面板との間で事前定義の分離距離Ｄ１を協調的に保持する。
【００１１】
本発明は更に、本明細書に記載されるか又は添付図面に示される部品又は特性のあらゆる代替的な組み合わせを含む。明示的には記載されていないこれらの部品又は特性の既知の同等物も、やはり含まれると見なされる。
【図面の簡単な説明】
【００１２】
本発明の例示の形態は、これより添付の図面を参照して記載される。
【図１】本発明の態様による例示的な電磁干渉（「ＥＭＩ」）遮蔽ケージ。ＥＭＩ遮蔽ケージが使用中に存在し得る他のデバイスと共に示す。
【図２】本発明の態様によるＥＭＩ遮蔽ケージ組立品の一実施形態の側面図。
【図３】図２のＥＭＩ遮蔽ケージ組立品の斜視図。
【図４】本発明の態様によるＥＭＩガスケットの一実施形態の斜視図。
【図５】矢印Ａの方向から取得した図４のＥＭＩガスケットのクローズアップの側面図。  上で特定した図面は、本発明のいくつかの実施形態を示しているが、考察部分で述べているように、他の実施形態も考えられる。いずれのケースでも、本開示は、限定する目的ではなく、説明する目的で本発明を提示している。本発明の原理の範囲及び趣旨に含まれる多数の他の修正及び実施形態が、当業者によって考案され得ることを理解されたい。図は、縮尺どおりに描かれていない場合もある。図の全体にわたって、同様の参照番号を用いて同様の部分を示している。
【発明を実施するための形態】
【００１３】
図１は、本発明の態様による電磁干渉（「ＥＭＩ」）遮蔽ケージ１００の一実施形態の斜視図を示す。ＥＭＩ遮蔽ケージ１００は、電子モジュールの収容に使用される。プラグコネクタ５０が挙げられるがこれに限定されない電子モジュールは、プリント回路基板（「ＰＣＢ」）３４上の信号線１２６と別の電子デバイス（図示せず）との間に接続を設けるために使用され得る。そのようなプラグコネクタは、例えば、データ伝送サーバー及びルーターで一般的に使用される。プラグコネクタ５０は、ＥＭＩ遮蔽ケージ１００の個々のスロット２１５０に差し込まれ、相手コネクタ６０はＰＣＢ  ３４に取り付けられる。ＥＭＩ遮蔽ケージ１００は、好ましくはデバイス（図示せず）の任意選択の補合する面板２８を通って、デバイスの外部と通信する第１の端部２１００で開口部を有する。ＥＭＩ遮蔽ケージ１００は、コネクタを外部の電磁波から遮蔽するため、及びコネクタから発生する電磁波を閉じ込めるために用いられる。
【００１４】
図２は、本発明の態様によるＥＭＩ遮蔽ケージ組立品１０の一実施形態の側面図を示す。ＥＭＩ遮蔽ケージ組立品１０は、ＥＭＩ遮蔽ケージ２０００及びガスケット１０００を含む。ＥＭＩ遮蔽ケージ２０００は、典型的には薄板金から形成される導電性パネルから構成されるハウジング２０１０を含む。ハウジング２０１０は、ＥＭＩ遮蔽ケージ２０００の第１の端部２１００で開口部を有し、プラグコネクタ５０がその開口部から差し込まれて相手コネクタ６０と係合する。ハウジング２０１０上に組み込まれるガスケットを嵌合する壁２２００は、ハウジング２０１０の第１の端部２１００の近傍に構成される。
【００１５】
導電性のパネルは、下パネル２３００、後パネル２１３０、一対の側パネル２１４０及び上パネル２１２０を含み、これらはすべてＥＭＩ遮蔽ケージ２０００の「外部」パネルとして本明細書で言及される。好ましい実施形態では、上パネル２１２０はＥＭＩ遮蔽ケージ２０００のカバー部を画定でき、一方で下パネル２３００、後パネル２１３０及び側パネル２１４０は協調的にＥＭＩ遮蔽ケージ２０００のベース部を画定する。
【００１６】
実例の目的で２つの部分のケージが示されるが、外部パネルは一枚の薄板金から一体成形され得ることが理解されよう。様々な外部パネルは、適切な寸法の一枚の薄板金を曲げることにより容易に形成可能であることを薄板金製造の当業者は認識するであろう。様々な同等の代替実施形態では、様々な外部パネル２３００、２１３０、２１４０及び２１２０はまた、ＥＭＩ遮蔽ケージ２０００に組み立てられる１つ以上の別個に打ち抜いたパネルから形成可能である。別の実施形態は、ＥＭＩ遮蔽ケージ２０００が取り付けられるＰＣＢ  ３４の上面に、例えば、銅の導電層に取って代る導電性の下パネル２３００を含み得る。
【００１７】
使用中に、ＥＭＩ遮蔽ケージ２０００の第１の端部２１００の開口部は、デバイスの任意選択の補合する面板２８の開口部３０（図１に示すように）と整合する。この開口部３０を通って、ＥＭＩ遮蔽ケージ２０００の第１の端部２１００は貫通し、プラグコネクタ５０を受け入れる準備が整う。任意選択の補合する面板２８は、典型的には導電性であるので、コネクタに何らかの形のＥＭＩ抑制を提供し得る。任意選択の補合する面板２８は、開口部３０が下パネル５  ２３００、側パネル２１４０及び上パネル２１２０の部分を包囲するような大きさ及び形状である。しかしながら、任意選択の補合する面板２８の開口部３０の寸法は、任意選択の補合する面板２８とＥＭＩ遮蔽ケージ２０００の外部パネルとの間で機械的及び電気的な密な接続を通常させない。任意選択の補合する面板２８と外部パネルとの間の改善した電気的導通は、図２に示すように任意選択の補合する面板２８の裏に、事前定義の分離距離Ｄ１でガスケットを嵌合する壁２２００の第１の側２２１０に配置されるガスケット１０００によって提供され得る。
【００１８】
一実施形態では、ＥＭＩ遮蔽ケージ２０００のハウジング２０１０のベース部は、ＥＭＩ遮蔽ケージ２０００のカバー部に電気的及び機械的に連結され、ベース部の下パネル２３００は、ＥＭＩ遮蔽ケージ２０００が配置されるＰＣＢ  ３４上に、又はＰＣＢ  ３４内にある導電性接地線１２７を介して（図１に示すように）接地電位に接続される。
【００１９】
一実施形態では、少なくとも１つの位置決め柱２３１０は、ガスケットを嵌合する壁２２２０の第２の側２２００から離れた距離Ｄ２で下パネル２３００上に構成される。ＥＭＩ遮蔽ケージ２０００がＰＣＢ  ３４上の導電性接地線１２７を介して適切に接地され得るように、位置決め柱２３１０は使用中にＰＣＢ  ３４上のＥＭＩ遮蔽ケージ２０００の位置合わせを助ける。好ましくは、距離Ｄ２は約１８．０４ミリメートル〜約１８．１４ミリメートルの範囲内であり、それによってコネクタはＳＦＦ  ８０８８等の工業規格に適合する。
【００２０】
図３は、ＥＭＩ遮蔽ケージ組立品１０の斜視図を示す。ＥＭＩ遮蔽ケージ２０００の外部パネル２３００、２１３０、２１４０及び２１２０は、ＥＭＩ遮蔽ケージ２０００の第１の端部２１００を介してアクセス可能である体積Ｖを囲む。ＥＭＩ遮蔽ケージは、複数の相手コネクタを密封し得ることが可能である。そのような状態では、ＥＭＩ遮蔽ケージ２０００内の相互干渉を最小限にするために、コネクタが互いに隔離され遮蔽されることが好ましい。図３によって図示される例示的な実施形態では、上パネル２１２０、下パネル２３００及び後パネル２１３０と接触する分離壁２４００の部分（図示せず）を備える分離壁２４００がＥＭＩ遮蔽ケージ２０００内に構成される。その結果、体積Ｖは２つ個別のベイ２１５０ａ及び２１５０ｂに分離される。好ましくは、１つのみの相手コネクタ６０が１つのベイに収容される。したがって、より多くの相手コネクタがＥＭＩ遮蔽ケージ２０００に収容されるのであれば、それぞれの個々の相手コネクタを収容するために十分隔離したベイを提供するように、より多くの分離壁２４００が構成される必要がある。
【００２１】
消費者のために、コネクタの機械的インタフェース、信号及びデータ伝送プロトコル、並びに信号及びデータ交換プロトコルの分野を含む電子工学業界内で規格が設立された。この互換性は、１つのベンダー製の電子モジュールを別のベンダーの同類のモジュールと置き換え可能にする。したがって、消費者は製品の選択肢が増え、より競争力があるデバイスの価格形成を伴うこの競争から恩恵を受け得る。
【００２２】
電子工学業界では、データ通信仕様を管理するＩｎｓｔｉｔｕｔｅ  ｏｆ  Ｅｌｅｃｔｒｉｃ  ａｎｄ  Ｅｌｅｃｔｒｏｎｉｃ  Ｅｎｇｉｎｅｅｒｓ（「ＩＥＥＥ」）委員会、データストレージ規格を規定するＴ１０委員会、及びコネクタ用機械的インタフェースの規格を規定するＳｍａｌｌ  Ｆｏｒｍ  Ｆａｃｔｏｒ（「ＳＦＦ」）委員会が挙げられるが、これらに限定されない多くの規格委員会がある。ＳＦＦ  ８０８８は、ＳＦＦ委員会が規定した規格の１つであり、ミニマルチレーンシールドコネクタの仕様である。
【００２３】
任意選択の補合する面板２８とＥＭＩ遮蔽ケージ２０００との間の領域は、高速データ転送中に放射された電磁波が放電される又は漏れる傾向があり、ＥＭＩを引き起こす可能性がある。本発明の態様により提供され、図３、４及び５に図示される例示的なＥＭＩガスケット１０００は、ＥＭＩ遮蔽ケージ２０００と併用すると、ＥＭＩ遮蔽ケージ２０００に収容した相手コネクタ６０（図示せず）をＥＭＩから遮蔽し、コネクタがＳＦＦ  ８０８８適合を維持することを可能にする。
【００２４】
ガスケット１０００は、ステンレス鋼等の導電性金属から形成されるが、外面上を導電性メッキで被覆したプラスチック又は他の弾性材料から形成されてもよい。ガスケット１０００は、切れ目なく続く構造体を形成するように好ましくは相互連結する複数の面を有する導電性本体１１００を含む。ガスケット１０００はＥＭＩ遮蔽ケージ２０００の第１の端部２１００を受け入れるように構成される開口部１１１０を有する。導電性本体１１００は、第１の面１２１０、第２の面１２２０、内周縁１３１０及び外周縁１３２０を含む。導電性本体１１００は、外周縁１３２０に沿って配置され、第１の面１２１０から離れるように延在する複数の係合タブ１４００、及び内周縁１３１０に沿って配置され、第２の面１２２０から離れるように延在する複数のスプリングタブ１５００を更に含む。
【００２５】
使用中に係合タブ１４００及びスプリングタブ１５００は、ＥＭＩ遮蔽ケージ２０００、ガスケット１０００及び任意選択の補合する面板２８との間の電気的係合点を提供する。
【００２６】
使用中にスプリングタブ１５００がガスケットを嵌合する壁２２００と接触している間、係合タブ１４００は任意選択の補合する面板２８と接触し、係合タブ１４００及びスプリングタブ１５００は任意選択の補合する面板２８とガスケットを嵌合する壁２２００との間で事前定義の分離距離Ｄ１を協調的に保持する。本発明の態様による一実施形態では、分離距離Ｄ１は約１．１３ミリメートル〜約２．１３ミリメートルの範囲内であり、それによってコネクタはＳＦＦ  ８０８８に適合する。
【００２７】
機能的には、ガスケット１０００の使用中、ガスケット１０００が任意選択の補合する面板２８とガスケットを嵌合する壁２２００との間で圧縮される際に、係合タブ１４００は良好なＥＭＩ散逸をもたらす働きをし、一方でスプリングタブ１５００はガスケット１０００に構造的支持及び強度をもたらす働きをする。
【００２８】
本発明の態様による一実施形態では、図４に例示するように、係合タブ１４００はそれぞれ他のタブから分離され導電性本体１１００から個々に延びる。これはＥＭＩを接地に放出するための多数の経路を提供する。
【００２９】
本発明の別の態様による別の実施形態では、ガスケット１０００のスプリングタブ１５００は、スプリングタブ１５００をガスケット１０００に連結するように構成される第１の区分１５１１、使用中にガスケットを嵌合する壁２２００と接触するように構成される第２の区分１５１２、及び第１の区分１５１１を第２の区分１５１２に接続するキンク１５１０を含む。スプリングタブ１５００の第１の区分１５１１は、第１の軸線Ｘ１に沿って位置合わせされ、一方でスプリングタブ１５００の第２の区分１５１２は、第２の軸線Ｘ２に沿って位置合わせされる。好ましくは、導電性本体１０００は、スプリングタブ１５００の第１の区分１５１１と同程度に第１の軸線Ｘ１に沿って位置合わせされる。これはスプリングタブ１５００のガスケット１０００への連結に構造的支持及び強度を提供する。
【００３０】
本発明の別の態様による一実施形態では、第２の軸線Ｘ２は第１の軸線Ｘ１に対してＹの角度である。任意選択の補合する面板２８とガスケットを嵌合する壁２２００との間の分離距離Ｄ１は、係合タブ１４００及びスプリングタブ１５００の柔軟性、並びに使用前に第１の軸線Ｘ１と第２の軸線Ｘ２との間で事前設定する角度Ｙが挙げられるが、これらに限定されない様々なパラメーターを変更することで調整され得る。使用中に任意選択の補合する面板２８は、ＥＭＩ遮蔽ケージ２０００のガスケットを嵌合する壁２２００の方向に、ガスケット１０００の係合タブ１４００に力Ｆ１を及ぼす。それと引き替えに、ガスケットを嵌合する壁２２００は、ガスケット１０００のスプリングタブ１５００に反対の力Ｆ２を及ぼす。上述のパラメーターによって影響されるＦ１及びＦ２の力の差が、任意選択の補合する面板２８がガスケットを嵌合する壁２２００の方に移動し得る距離を決定し、したがって得られる分離距離Ｄ１を決定する。
【００３１】
以下は、本発明の態様によるコネクタ用の電磁干渉（ＥＭＩ）遮蔽ケージと併用するガスケット、及び電磁干渉（ＥＭＩ）遮蔽ケージ組立品の例示的な実施形態である。
【００３２】
実施形態１は、コネクタ用の電磁干渉（ＥＭＩ）遮蔽ケージと併用するガスケットと、を含み、ガスケットは、ＥＭＩ遮蔽ケージ上に組み込まれるガスケットを嵌合する壁の近傍で、ＥＭＩ遮蔽ケージの第１の端部を受け入れるように構成される開口部を有する導電性本体であって、ガスケットを嵌合する壁と反対に向くように作られる第１の面と、ガスケットを嵌合する壁に向くように作られる第２の面と、内周縁及び外周縁と、を含む、導電性本体と、外周縁に沿って配置され第１の面から離れるように延在する複数の係合タブと、内周縁に沿って配置され、第２の面から離れるように延在する複数のスプリングタブと、を含み、係合タブが任意選択の補合する面板に向き、スプリングタブがＥＭＩ遮蔽ケージのガスケットを嵌合する壁に向いた状態で、ＥＭＩ遮蔽ケージの第１の端部が導電性本体の開口部及び面板の開口部に差し込まれるとき、係合タブ及びスプリングタブは、ガスケットを嵌合する壁と任意選択の補合する面板との間で事前定義の分離距離Ｄ１を協調的に保持する。
【００３３】
実施形態２は、実施形態１のガスケットであり、事前定義の分離距離Ｄ１は、約１．１３ミリメートル〜約２．１３ミリメートルである。
【００３４】
実施形態３は、前述の実施形態１〜２のうちの１つのガスケットであり、スプリングタブは、スプリングタブをガスケットに連結するように構成される第１の区分と、使用中にガスケットを嵌合する壁と接触するように構成される第２の区分と、第１の区分を第２の区分に接続するキンクを更に含む。
【００３５】
実施形態４は、実施形態３のガスケットであり、スプリングタブの第１の区分は第１の軸線に沿って位置合わせされ、スプリングタブの第２の区分は第２の軸線に沿って位置合わせされる。
【００３６】
実施形態５は、電磁干渉（ＥＭＩ）遮蔽ケージ組立品であり、上パネル、後パネル、２つの側パネル及びＥＭＩ遮蔽ケージの第１の端部に構成される少なくとも１つのスロットを有するハウジングを含み、使用中に少なくとも１つのコネクタにＥＭＩを遮蔽するエンクロージャを提供するＥＭＩ遮蔽ケージと、ＥＭＩ遮蔽ケージと併用するガスケットと、を含み、ガスケットは、ＥＭＩ遮蔽ケージ上に組み込まれるガスケットを嵌合する壁の近傍で、ＥＭＩ遮蔽ケージの第１の端部を受け入れるように構成される開口部を有する導電性本体であって、ガスケットを嵌合する壁と反対に向くように作られる第１の面と、ガスケットを嵌合する壁に向くように作られる第２の面と、内周縁及び外周縁と、を含む、導電性本体と、外周縁に沿って配置され、第１の面から離れるように延在する複数の係合タブと、内周縁に沿って配置され、第２の面から離れるように延在する複数のスプリングタブと、を含み、係合タブが任意選択の補合する面板に向き、スプリングタブがＥＭＩ遮蔽ケージのガスケットを嵌合する壁に向いた状態で、ＥＭＩ遮蔽ケージの第１の端部が導電性本体の開口部及び面板の開口部に差し込まれるとき、係合タブ及びスプリングタブは、ガスケットを嵌合する壁と任意選択の補合する面板との間で事前定義の分離距離Ｄ１を協調的に保持する。
【００３７】
実施形態６は、実施形態５のＥＭＩ遮蔽ケージ組立品であり、事前定義の分離距離Ｄ１は、約１．１３ミリメートル〜約２．１３ミリメートルである。
【００３８】
実施形態７は、実施形態５又は実施形態６のＥＭＩ遮蔽ケージ組立品であり、スプリングタブは、スプリングタブをガスケットに連結するように構成される第１の区分と、使用中にガスケットを嵌合する壁と接触するように構成される第２の区分と、第１の区分を第２の区分に接続するキンクを更に含む。
【００３９】
実施形態８は、実施形態７のＥＭＩ遮蔽ケージ組立品であり、スプリングタブの第１の区分は第１の軸線に沿って位置合わせされ、スプリングタブの第２の区分は第２の軸線に沿って位置合わせされる。
【００４０】
実施形態９は、前述の実施形態５〜８のうちの１つのＥＭＩ遮蔽ケージ組立品であり、ＥＭＩ遮蔽ケージはハウジングに連結される下パネルを更に含み、ＥＭＩ遮蔽ケージは使用中に下パネルをプリント回路基板上の複数の接地線に接続することにより接地される。
【００４１】
実施形態１０は、実施形態９のＥＭＩ遮蔽ケージ組立品であり、下パネルは一対の位置決め柱を更に含む。
【００４２】
実施形態１１は、実施形態１０のＥＭＩ遮蔽ケージ組立品であり、ガスケットを嵌合する壁の第２の側と位置決め柱との間の距離Ｄ２は、約１８．０４ミリメートル〜約１８．１４ミリメートルである。
【００４３】
本発明の好ましい実施形態の前述の説明は、例示及び説明の目的で提示してきたものである。以上の教示を考慮すれば、多くの修正形態及び変形形態が可能であるため、それは、包括的であることも、開示されたまさにその形態に本発明を限定することも意図していない。かかる修正及び変形のすべてが、本発明の範囲内である。本明細書に記載の実施形態は、本発明の原理及びその実際的な用途の最良の説明を提供し、それによって当業者が本発明を様々な実施形態で、また企図される特定の用途に適するように様々な修正を行って利用できるように、選択され説明された。合法的かつ公正に適した全容に従って解釈されるとき、本発明の範囲は、本明細書に添付される請求項により定義されることが意図される。
【図１】
2013529839.tif 000003
【図２】
2013529839.tif 000004
【図３】
2013529839.tif 000005
【図４】
2013529839.tif 000006
【図５】
2013529839.tif 000007
【国際調査報告】
2013529839.tif 000008
2013529839.tif 000009